(57)【要約】【課題】主電力増幅器により生じる歪みを補償する歪み補償制御回路を提供する。【解決手段】一定の周波数帯域を有し所定の変調方式で変調された入力信号を増幅する主電力増幅器１の出力信号から、入力信号の信号成分を除去することにより主電力増幅器１で生じた歪み成分を抽出し、抽出した歪み成分を補償用電力増幅器８により増幅して、増幅された歪み成分を出力信号から相殺することにより主電力増幅器１により生じる歪み成分が補償された合成信号を生成する装置に組み込まれる歪み補償制御回路である。この回路は、合成信号に雑音成分を付加する雑音付加回路１１と、雑音成分が付加された合成信号を復調して復調信号を生成する復調回路１２と、復調信号について誤り率を検出する誤り率検出回路１３と、誤り率が最低となるように、補償用電力増幅器８に、抽出した歪み成分の振幅及び／又は位相を変動させる制御回路１４と、を備えている。【選択図】  図１
2004349950.tif 000002
【特許請求の範囲】
【請求項１】
一定の周波数帯域を有する入力信号を増幅する主増幅器の出力信号から、前記入力信号の信号成分を除去することにより前記主増幅器で生じた歪み成分を抽出し、抽出した歪み成分を副増幅器により増幅して、増幅された歪み成分を前記出力信号から相殺することにより前記主増幅器により生じる歪み成分が補償された合成信号を生成する装置に組み込まれる歪み補償制御回路であって、
前記合成信号に、雑音成分を付加する雑音付加手段と、
前記雑音成分が付加された前記合成信号について誤り率を検出する誤り率検出手段と、
前記誤り率が最低となるように、前記副増幅器に、前記抽出した前記歪み成分の振幅及び／又は位相を変動させる制御手段と、を備えている、
歪み補償制御回路。
【請求項２】
一定の周波数帯域を有し所定の変調方式で変調された入力信号を増幅する主増幅器の出力信号から、前記入力信号の信号成分を除去することにより前記主増幅器で生じた歪み成分を抽出し、抽出した歪み成分を副増幅器により増幅して、増幅された歪み成分を前記出力信号から相殺することにより前記主増幅器により生じる歪み成分が補償された合成信号を生成する装置に組み込まれる歪み補償制御回路であって、
前記合成信号に、雑音成分を付加する雑音付加手段と、
前記雑音成分が付加された前記合成信号を復調して復調信号を生成する復調手段と、
前記復調信号について誤り率を検出する誤り率検出手段と、
前記誤り率が最低となるように、前記副増幅器に、前記抽出した前記歪み成分の振幅及び／又は位相を変動させる制御手段と、を備えている、
歪み補償制御回路。
【請求項３】
前記雑音付加手段は、前記雑音成分の付加量を調整可能に構成されており、
前記誤り率検出手段により検出される前記誤り率が所定の範囲内になるように前記雑音成分の付加量が調整される、
請求項１または２記載の歪み補償制御回路。
【請求項４】
前記雑音付加手段は、
前記雑音成分を発生する雑音発生手段と、
前記雑音発生手段により発生した雑音成分のレベル調整を行うレベル調整手段と、
前記雑音発生手段により発生した雑音成分を前記合成信号に加算する加算手段とを備えている、
請求項３記載の歪み補償制御回路。
【請求項５】
前記誤り率検出手段は、検出した誤り率が前記所定の範囲から外れたときに、前記雑音成分の付加量を増加又は減少させる指示を前記雑音付加手段に送るように構成されており、
前記雑音付加手段は、この指示に応じて前記雑音成分の付加量を調整するように構成されている、
請求項３記載の歪み補償制御回路。
【請求項６】
前記誤り率検出手段は、
前記雑音成分が付加された前記合成信号についての誤り訂正を行い、誤り訂正が不能のビットを検出するとフラグをセットする誤り訂正手段と、
前記誤り訂正手段によりセットされたフラグの数をカウントするカウンタ手段と、
所定の周期で、前記カウンタ手段に、カウント値を前記誤り率として前記制御手段へ出力させるトリガ信号を送信するタイミング発生手段とを備えている、
請求項１または２記載の歪み補償制御回路。
【請求項７】
前記復調手段は、前記入力信号の変調方式を判断して、変調方式に応じた量の雑音成分を付加するような指示を前記雑音付加手段に送るように構成されており、
前記雑音付加手段は、この指示に応じて前記雑音成分の付加量を調整するように構成されている、
請求項２記載の歪み補償制御回路。
【請求項８】
一定の周波数帯域を有する入力信号を増幅する主増幅器と、
前記主増幅器の出力信号から前記入力信号の信号成分を除去することにより前記主増幅器で生じた歪み成分を抽出する抽出手段と、
前記抽出手段により抽出された歪み成分を増幅する副増幅器と、
前記副増幅器により増幅された歪み成分を前記出力信号から相殺することにより前記主増幅器により生じる歪み成分が補償された合成信号を生成する合成手段と、
前記合成信号に、雑音成分を付加する雑音付加手段と、
前記雑音成分が付加された前記合成信号についての誤り率を検出する誤り率検出手段と、
前記誤り率が最低となるように、前記副増幅器に、前記抽出した前記歪み成分の振幅及び／又は位相を変動させる制御手段と、を備えている、
歪み補償増幅装置。
【請求項９】
一定の周波数帯域を有し所定の変調方式で変調された入力信号を増幅する主増幅器と、
前記主増幅器の出力信号から前記入力信号の信号成分を除去することにより前記主増幅器で生じた歪み成分を抽出する抽出手段と、
前記抽出手段により抽出された歪み成分を増幅する副増幅器と、
前記副増幅器により増幅された歪み成分を前記出力信号から相殺することにより前記主増幅器により生じる歪み成分が補償された合成信号を生成する合成手段と、
前記合成信号に、雑音成分を付加する雑音付加手段と、
前記雑音成分が付加された前記合成信号を復調して復調信号を生成する復調手段と、
前記復調信号についての誤り率を検出する誤り率検出手段と、
前記誤り率が最低となるように、前記副増幅器に、前記抽出した前記歪み成分の振幅及び／又は位相を変動させる制御手段と、を備えている、
歪み補償増幅装置。
【請求項１０】
一定の周波数帯域を有する入力信号を増幅する主増幅器の出力信号から、前記入力信号の信号成分を除去することにより前記主増幅器で生じた歪み成分を抽出し、抽出した歪み成分を副増幅器により増幅して、増幅された歪み成分を前記出力信号から相殺することにより前記主増幅器により生じる歪み成分が補償された合成信号を生成する装置に組み込まれる歪み補償制御回路により実行される方法であって、
前記歪み補償制御回路が、
前記合成信号に、雑音成分を付加するとともに、前記雑音成分が付加された前記合成信号について誤り率を検出して、前記誤り率が最低となるように、前記副増幅器に、前記抽出した前記歪み成分の振幅及び／又は位相を変動させる、
歪み補償制御方法。
【請求項１１】
一定の周波数帯域を有し所定の変調方式で変調された入力信号を増幅する主増幅器の出力信号から、前記入力信号の信号成分を除去することにより前記主増幅器で生じた歪み成分を抽出し、抽出した歪み成分を副増幅器により増幅して、増幅された歪み成分を前記出力信号から相殺することにより前記主増幅器により生じる歪み成分が補償された合成信号を生成する装置に組み込まれる歪み補償制御回路により実行される方法であって、
前記歪み補償制御回路が、
前記合成信号に、雑音成分を付加するとともに、前記雑音成分が付加された前記合成信号を復調して復調信号を生成し、この復調信号について誤り率を検出して、前記誤り率が最低となるように、前記副増幅器に、前記抽出した前記歪み成分の振幅及び／又は位相を変動させる、
歪み補償制御方法。
【発明の詳細な説明】
【０００１】
【発明の属する技術分野】
本発明は、例えば増幅装置において、増幅時に発生する非線形歪みを補償するための歪み補償制御技術に関する。
【０００２】
【従来の技術】
増幅装置は、一定の周波数帯域の入力信号を所望の振幅で増幅して出力するものである。入力信号の増幅は電力増幅器等により行われ、理想的には歪みのない出力信号を得るが、現実には周波数毎の振幅が異なることなどから、出力信号に歪みが生じる。入力信号に対して出力信号の波形が非線形に歪むと、例えばデータ誤り、映像歪み等の障害が発生する場合がある。このことから、歪み成分を抽出して元の波形に戻すために、歪み補償回路を含んだ歪み補償増幅装置が従来より用いられている。
【０００３】
従来のこの種の歪み補償増幅装置は、図７に示すように、入力端子ＩＮに入力された信号（入力信号）が、方向性結合器等の電力分配器２を介して主電力増幅器１に入力される。入力信号には、主電力増幅器１に入力される前にパイロット信号発生器１５で発生されたパイロット信号が重畳される。主電力増幅器１の出力信号の一部は、減衰回路５により、主電力増幅器１で増幅された分が減衰されて比較回路６に送られる。
電力分配器２により取り出された入力信号は、遅延回路４で遅延された後、比較回路６で主電力増幅器１の出力信号の一部と合成される。このとき、両信号の振幅が等しく、位相がちょうど反転していれば、主電力増幅器１の出力信号の歪み成分及びパイロット信号が比較回路６の出力信号となり、補償用電力増幅器８に入力される。
【０００４】
補償用電力増幅器８で増幅された信号は、主電力増幅器１で増幅された後、電力分配器３、遅延回路７を経た出力信号と電力合成器９で合成される。合成された信号は、出力端子ＯＵＴに導かれる。このとき、補償用電力増幅器８からの出力信号である歪み成分及びパイロット信号と主電力増幅器１からの出力信号の歪み成分及びパイロット信号との振幅が等しく、位相が完全に反転していれば、両信号の歪み成分及びパイロット信号が相殺され、電力合成器９の出力信号（以下、「合成信号」という）は入力信号の増幅分のみとなる。
【０００５】
歪み補償増幅装置には、この電力合成器９による信号合成の際、歪み成分が常にうまく相殺されるようにするための歪み補償制御回路が形成されている。
この歪み補償制御回路は、電力分配器１０により一部が分配された合成信号から、パイロット信号抽出回路１６により、残存するパイロット信号を抽出して、制御回路２３が、抽出されたパイロット信号の量によって補償用電力増幅器８の振幅、位相の調整等を行う。電力合成器９で歪み成分及びパイロット信号が完全に相殺されていれば、パイロット信号抽出回路１６でパイロット信号が抽出されることが無く、補償用電力増幅器８の調整を行う必要がないが、相殺されていなければ、パイロット信号の残存部分が抽出されて補償用電力増幅器８の調整を行うことになる。そのために補償用電力増幅器８の調整は、パイロット信号抽出回路１６により抽出されるパイロット信号が最小になるように行う。これにより、歪み成分が常にうまく相殺されるようになる。
【０００６】
パイロット信号には、図８に示すように、入力信号の周波数帯域の近傍の周波数を用いることが一般的である。そのために、主電力増幅器１及び補償用電力増幅器８は、入力信号の周波数帯域に加えてパイロット信号で使用する帯域まで、周波数特性を広げる必要がでてくる。
そのために主電力増幅器１及び補償用電力増幅器８の設計が困難になる。例えば利得・効率・位相特性・歪み特性も含めて所望の周波数帯域以上の周波数帯域を要するので設計が難しくなり、結果として、周波数帯域以外の性能とのトレードオフをする必要がある。加えて、所望の周波数帯域以外の周波数にパイロット信号を加算するため、歪み補償制御回路が故障した場合には、パイロット信号が除去されずに出力される。これはスプリアス信号となり他局に妨害を与える可能性がある。
【０００７】
【発明が解決しようとする課題】
本発明は、上記のようなパイロット信号を用いずに歪み補償を行うようにした歪み補償制御回路、歪み補償増幅装置、及び歪み補償制御方法を提供することを課題とする。
【０００８】
【課題を解決するための手段】
上記課題を解決する本発明の歪み補償制御回路は、一定の周波数帯域を有する入力信号を増幅する主増幅器の出力信号から、前記入力信号の信号成分を除去することにより前記主増幅器で生じた歪み成分を抽出し、抽出した歪み成分を副増幅器により増幅して、増幅された歪み成分を前記出力信号から相殺することにより前記主増幅器により生じる歪み成分が補償された合成信号を生成する装置に組み込まれる歪み補償制御回路であって、前記合成信号に、雑音成分を付加する雑音付加手段と、前記雑音成分が付加された前記合成信号について誤り率を検出する誤り率検出手段と、前記誤り率が最低となるように、前記副増幅器に、前記抽出した前記歪み成分の振幅及び／又は位相を変動させる制御手段と、を備えている。
【０００９】
本発明の他の歪み補償制御回路は、一定の周波数帯域を有し所定の変調方式で変調された入力信号を増幅する主増幅器の出力信号から、前記入力信号の信号成分を除去することにより前記主増幅器で生じた歪み成分を抽出し、抽出した歪み成分を副増幅器により増幅して、増幅された歪み成分を前記出力信号から相殺することにより前記主増幅器により生じる歪み成分が補償された合成信号を生成する装置に組み込まれる歪み補償制御回路であって、前記合成信号に、雑音成分を付加する雑音付加手段と、前記雑音成分が付加された前記合成信号を復調して復調信号を生成する復調手段と、前記復調信号について誤り率を検出する誤り率検出手段と、前記誤り率が最低となるように、前記副増幅器に、前記抽出した前記歪み成分の振幅及び／又は位相を変動させる制御手段と、を備えている。
【００１０】
これらの本発明の歪み補償制御回路は、合成信号に雑音成分を付加した信号の誤り率を検出し、その誤り率に基づいて歪み補償を行うように構成されている。従って、電力増幅器として必要な周波数帯域は主電力増幅器、補償用電力増幅器共に所望の周波数帯域だけを確保するように設計すればよく、設計が容易になる。
また、出力される信号に対してスプリアス信号となり得るパイロット信号を付加する必要が無いために、歪み補償制御回路が故障した場合でもスプリアスを発生することがないために、他局に妨害を与えることがない。
【００１１】
これらの歪み補償制御回路は、例えば、前記雑音付加手段が、前記雑音成分の付加量を調整可能に構成されている。このような構成の雑音付加手段により、前記誤り率検出手段により検出される前記誤り率が所定の範囲内になるように、前記雑音成分の付加量を調整することができる。
前記雑音付加手段は、例えば、前記雑音成分を発生する雑音発生手段と、前記雑音発生手段により発生した雑音成分のレベル調整を行うレベル調整手段と、前記雑音発生手段により発生した雑音成分を前記合成信号に加算する加算手段とを備えており、レベル調整手段により雑音成分のレベルを調整することにより、雑音成分の付加量を調整する。
前記誤り率検出手段は、例えば、検出した誤り率が前記所定の範囲から外れたときに、前記雑音成分の付加量を増加又は減少させる指示を前記雑音付加手段に送るように構成され、前記雑音付加手段が、この指示に応じて前記雑音成分の付加量を調整するように構成される。
【００１２】
前記誤り率検出手段は、例えば、前記雑音成分が付加された前記合成信号についての誤り訂正を行い、誤り訂正が不能のビットを検出するとフラグをセットする誤り訂正手段と、前記誤り訂正手段によりセットされたフラグの数をカウントするカウンタ手段と、所定の周期で、前記カウンタ手段に、カウント値を前記誤り率として前記制御手段へ出力させるトリガ信号を送信するタイミング発生手段とを備えている。カウント値は所定の周期で出力されるために、誤り率と等価になる。
雑音付加手段が、雑音成分の付加量を調整可能な場合には、カウント値に基づいて前記雑音成分の付加量を増加又は減少させる指示を雑音付加手段に送る手段を更に備えるようにしてもよい。
【００１３】
入力信号が変調されている場合には、前記復調手段が、例えば、前記入力信号の変調方式を判断して、変調方式に応じた量の雑音成分を付加するような指示を前記雑音付加手段に送るように構成される。前記雑音付加手段は、復調手段からのこの指示に応じて前記雑音成分の付加量を調整する。このような構成により、変調方式の違いにより検出される誤り率が変化する場合でも、最適な範囲に誤り率を調整できるようになる。
【００１４】
本発明の歪み補償増幅装置は、一定の周波数帯域を有する入力信号を増幅する主増幅器と、前記主増幅器の出力信号から前記入力信号の信号成分を除去することにより前記主増幅器で生じた歪み成分を抽出する抽出手段と、前記抽出手段により抽出された歪み成分を増幅する副増幅器と、前記副増幅器により増幅された歪み成分を前記出力信号から相殺することにより前記主増幅器により生じる歪み成分が補償された合成信号を生成する合成手段と、前記合成信号に、雑音成分を付加する雑音付加手段と、前記雑音成分が付加された前記合成信号についての誤り率を検出する誤り率検出手段と、前記誤り率が最低となるように、前記副増幅器に、前記抽出した前記歪み成分の振幅及び／又は位相を変動させる制御手段と、を備えている。
【００１５】
本発明の歪み補償増幅装置は、一定の周波数帯域を有し所定の変調方式で変調された入力信号を増幅する主増幅器と、前記主増幅器の出力信号から前記入力信号の信号成分を除去することにより前記主増幅器で生じた歪み成分を抽出する抽出手段と、前記抽出手段により抽出された歪み成分を増幅する副増幅器と、前記副増幅器により増幅された歪み成分を前記出力信号から相殺することにより前記主増幅器により生じる歪み成分が補償された合成信号を生成する合成手段と、前記合成信号に、雑音成分を付加する雑音付加手段と、前記雑音成分が付加された前記合成信号を復調して復調信号を生成する復調手段と、前記復調信号についての誤り率を検出する誤り率検出手段と、前記誤り率が最低となるように、前記副増幅器に、前記抽出した前記歪み成分の振幅及び／又は位相を変動させる制御手段と、を備えている。
【００１６】
本発明の歪み補償制御方法は、一定の周波数帯域を有する入力信号を増幅する主増幅器の出力信号から、前記入力信号の信号成分を除去することにより前記主増幅器で生じた歪み成分を抽出し、抽出した歪み成分を副増幅器により増幅して、増幅された歪み成分を前記出力信号から相殺することにより前記主増幅器により生じる歪み成分が補償された合成信号を生成する装置に組み込まれる歪み補償制御回路により実行される方法であって、前記歪み補償制御回路が、前記合成信号に、雑音成分を付加するとともに、前記雑音成分が付加された前記合成信号について誤り率を検出して、前記誤り率が最低となるように、前記副増幅器に、前記抽出した前記歪み成分の振幅及び／又は位相を変動させる。
【００１７】
本発明の歪み補償制御方法は、一定の周波数帯域を有し所定の変調方式で変調された入力信号を増幅する主増幅器の出力信号から、前記入力信号の信号成分を除去することにより前記主増幅器で生じた歪み成分を抽出し、抽出した歪み成分を副増幅器により増幅して、増幅された歪み成分を前記出力信号から相殺することにより前記主増幅器により生じる歪み成分が補償された合成信号を生成する装置に組み込まれる歪み補償制御回路により実行される方法であって、前記歪み補償制御回路が、前記合成信号に、雑音成分を付加するとともに、前記雑音成分が付加された前記合成信号を復調して復調信号を生成し、この復調信号について誤り率を検出して、前記誤り率が最低となるように、前記副増幅器に、前記抽出した前記歪み成分の振幅及び／又は位相を変動させる。
【００１８】
【発明の実施の形態】
以下、本発明の実施形態について、図面を参照しつつ詳細に説明する。
【００１９】
図１は、本発明の歪み補償制御回路を備えた、第１実施形態の歪み補償増幅装置の回路図である。
この歪み補償増幅装置は、図７の従来の歪み補償増幅装置に対して歪み補償制御回路部分を除いて同じ構成である。つまり、主電力増幅器１、電力分配器２、電力分配器３、遅延回路４、減衰回路５、比較回路６、遅延回路７、補償用電力増幅器８、電力合成器９、及び電力分配器１０については、従来のものと同様であり、その機能、動作に差異はないので、ここでは説明を省略する。なお、主電力増幅器１に入力される入力信号にはパイロット信号を重畳する必要がないために、パイロット信号発生器１５及びそれを重畳するための加算器等は不要になる。
【００２０】
歪み補償制御回路は、雑音付加回路１１、復調回路１２、誤り率検出回路１３及び制御回路１４を備える。
雑音付加回路１１は、電力分配器１０により分配された合成信号に、雑音成分を付加するものである。雑音成分は、誤り率が１．０×１０−３程度のＣ／Ｎ（Ｃａｒｒｉｅｒ  ｔｏ  Ｎｏｉｓｅ  Ｒａｔｉｏ）比となるように付加される。
復調回路１２は、雑音付加回路１１により雑音が付加された合成信号を復調して復調信号を生成するものである。また復調回路１２は、復調の他に誤り訂正を行う。この実施形態では、入力端子ＩＮから入力される入力信号が、ＱＰＳＫやＱＡＭ等の所定の変調方式で変調されており、復調回路１２は、変調された入力信号を復調してデジタル信号を生成する。なお、入力信号が変調されていない場合には、復調回路１２は不要になる。
【００２１】
誤り率検出回路１３は、復調信号の誤り率を計測するものである。誤り率の計測には、通常、専用の信号が必要となるが、そのような信号が新たな雑音となる場合もあるので、誤り率検出回路１３は、例えば、訂正不能な誤り数を一定時間計測することで誤り率を求める。計測した誤り率は、制御回路１４に送られる。制御回路１４は、誤り率検出回路１３から送られる誤り率が最小になるように、補償用電力増幅器８に歪み成分の振幅、位相等を変動させる。誤り率検出回路１３により検出される誤り率が、雑音付加回路１１により付加された雑音成分の誤り率と等しいときに、主電力増幅器１による歪み成分が除去された合成信号が得られたことになる。
【００２２】
以上のような歪み補償制御回路では、パイロット信号を必要としないために、主電力増幅器１及び補償用電力増幅器８の周波数帯域を、図８に示す従来のように広げる必要が無く、図２のような周波数帯域のものを用いることができるようになる。そのために、例えば、効率・歪み性能といった周波数特性以外の性能に注力して各電力増幅器の設計を行うことができる。また、歪み補償制御回路が故障した場合でも、パイロット信号がスプリアスとなって他局に対して妨害を与えることはない。
【００２３】
図３は、本発明の第２実施形態の歪み補償増幅装置の回路図である。
第２実施形態の歪み補償増幅装置は、第１実施形態と同じ構成であり、雑音付加回路１１により合成信号に付加される雑音成分の付加量を可変とした点、が異なるのみである。
【００２４】
本発明の歪み補償制御回路では、雑音付加回路１１により付加される雑音成分による誤り率が１．０×１０−３程度と中程度のＣ／Ｎ比を維持する必要がある。しかし、図６に示すように、信号の変調方式によって、Ｃ／Ｎ対ＢＥＲ（ビット誤り率：Ｂｉｔ  Ｅｒｒｏｒ  Ｒａｔｅ）の特性は大きく異なる。また、歪み補償増幅装置がおかれる環境条件によっても、Ｃ／Ｎ比が時間と共に変化することがある。
【００２５】
そのために、第２実施形態の歪み補償増幅装置では、誤り率検出回路１３により検出された誤り率が所定の誤り率の範囲を超えた場合に、Ｃ／Ｎ比が維持できるよう雑音付加回路１１による雑音成分の付加量を可変とする。また、入力信号の変調方式が変化する仕様の場合には、復調回路１２により入力信号の変調方式の判定を行い、その変調方式に合わせてＣ／Ｎ比が維持できるように、雑音付加回路１１の雑音付加量を制御するようにする。
図４、図５は、このような雑音付加回路１１、誤り率検出回路１３の具体的な構成例を示す回路図である。
【００２６】
図４の雑音付加回路１１は、加算器１７、レベル調整器１８及び雑音発生器１９を備えている。
雑音発生器１９により発生された雑音成分は、レベル調整器１８により所定のＣ／Ｎ比を満たすように、自動でレベル調整される。レベル調整された雑音成分は、加算器１７により、合成信号の一部に加算される。このようにして、合成信号に雑音成分が付加される。なお、第１実施形態のように、雑音成分のレベル調整の指示を他の回路から受けない場合には、手動でレベル調整を行うようにしてもよい。
雑音成分が付加された合成信号は、雑音成分のために誤り率がどのような条件でも“０”にはならず、このＣ／Ｎ比のまま、復調回路１２へと出力される。
【００２７】
レベル調整器１８には、例えば、復調回路１２あるいは誤り率検出回路１３から、所定のＣ／Ｎ比を満たすように雑音付加量を制御するための指示が入力される。レベル調整器１８は、この指示により雑音成分のレベルを調整するようになっている。レベル調整によって、例えば、合成信号自体が所定のＣ／Ｎ比を満たす程度の雑音を含んでいる場合には、雑音成分が“０”になる場合もある。
なお、この例では、雑音付加回路１１にレベル調整器１８を含んだものとして説明したが、第１実施形態のように雑音成分の付加量を一定にしている場合には、レベル調整器１８を設ける必要はない。
【００２８】
図５の誤り検出回路１３は、誤り訂正回路２０、カウンタ回路２１及びタイミング発生器２２を備える。
復調回路１２で生成されたデジタル信号である復調信号は、雑音付加回路１１により雑音成分が付加されているために誤り率が“０”ではない。また、うまく主電力増幅器１の歪み成分が相殺されていない場合には、誤り率は更に劣化する。そのために、誤り訂正回路２０により誤り訂正を行うことになるが、誤り訂正が不能なビットについては訂正不能を示すフラグをセットするようにする。
【００２９】
カウンタ回路２１では、誤り訂正回路２０により立てられたフラグの数をカウントする。タイミング発生器２２は、所定の周期でカウンタ回路２１にトリガ信号を送信する。カウンタ回路２１は、トリガ信号の受信を契機にカウント値を制御回路１４へ送るとともに、カウント値及びフラグをリセットする。カウンタ回路２１は、リセット後に再びフラグのカウントを開始する。
所定の周期で発せられるトリガ信号によりカウント値を制御回路１４へ送るために、このカウント値は誤り率と等価になる。
【００３０】
雑音成分の付加量を制御する場合には、制御回路１４に送られるカウント値がＣ／Ｎ比を満たすか否かを判断して、それに応じた指示を雑音付加回路１１に送る回路を更に設けることになる。
【００３１】
【発明の効果】
以上の説明から明らかなように、本発明によれば、各増幅器の周波数帯域を必要以上に広げる必要が無くなり、増幅器の設計が容易になる。また、歪み補償制御回路が故障した場合でも、スプリアスが発生することがない。
【図面の簡単な説明】
【図１】第１実施形態の歪み補償増幅装置の回路図。
【図２】本発明の主電力増幅器及び補償用電力増幅器の周波数特性図。
【図３】第２実施形態の歪み補償増幅装置の回路図。
【図４】雑音付加回路の詳細な回路図。
【図５】誤り率検出回路の詳細な回路図。
【図６】ノイズ対ビット誤り率の特性を示す図。
【図７】従来の歪み補償増幅装置の回路図。
【図８】従来の主電力増幅器及び補償用電力増幅器の周波数特性図。
【符号の説明】
１  主電力増幅器
２、３、１０  電力分配器
４、７  遅延回路
５  減衰回路
６  比較回路
８  補償用電力増幅器
９  電力合成器
１１  雑音付加回路
１２  復調回路
１３  誤り率検出回路
１４、２３  制御回路
１５  パイロット信号発生器
１６  パイロット信号抽出回路
１７  加算器
１８  レベル調整器
１９  雑音発生器
２０  誤り訂正回路
２１  カウンタ回路
２２  タイミング発生器
【図１】
2004349950.tif 000003
【図２】
2004349950.tif 000004
【図３】
2004349950.tif 000005
【図４】
2004349950.tif 000006
【図５】
2004349950.tif 000007
【図６】
2004349950.tif 000008
【図７】
2004349950.tif 000009
【図８】
2004349950.tif 000010